(57)【要約】【課題】移動局端末において下りリンク個別物理制御チャネルの受信品質を常に一定レベルに保つことが可能な無線基地局装置を提供する。【解決手段】符号化処理部１２はユーザデータ２０１，２０２のデータの符号化処理を行い、レートマッチング処理部１３は符号化されたデータのレートマッチング処理を行う。オフセット電力値補正部１４はユーザデータ２０１，２０２の制御情報のオフセット電力値を補正する。個別物理データチャネル生成部１５はレートマッチング処理が行われたデータから個別物理データチャネルを生成し、個別物理制御チャネル生成部１６はオフセット電力値が補正された制御情報から個別物理制御チャネルを生成する。時間多重部１７はそれら個別物理データチャネル及び個別物理制御チャネルの時間多重を行う。【選択図】      図２
2004297231.tif 000002
【特許請求の範囲】
【請求項１】
無線基地局装置から移動局端末に対して下りリンクの誤り訂正ありの個別物理データチャネルと、誤り訂正なし個別物理制御チャネルとを時間多重して伝送する移動通信システムであって、
前記個別物理データチャネルの符号化利得を考慮して伝送電力を補正する手段と、その補正された伝送電力で前記下りリンクの個別物理チャネルを送信する手段とを有することを特徴とする移動通信システム。
【請求項２】
前記伝送電力を補正する手段は、前記伝送電力を送信時間間隔毎に補正することを特徴とする請求項１記載の移動通信システム。
【請求項３】
前記伝送電力を補正する手段は、前記個別物理データチャネルと前記個別物理制御チャネルとにおける誤り訂正処理によって得られる伝送電力の符号化利得を送信データ量の変動によって算出されるレートマッチングによるビット繰返し／ビット間引きを基に補正することを特徴とする請求項１または請求項２記載の移動通信システム。
【請求項４】
前記レートマッチングは、所要ＱｏＳ（Ｑｕａｌｉｔｙ  ｏｆ  Ｓｅｒｖｉｃｅ）を音声通信とパケット通信とで同時に満たすためのレートマッチング処理であることを特徴とする請求項３記載の移動通信システム。
【請求項５】
ＣＤＭＡ（Ｃｏｄｅ  Ｄｉｖｉｓｉｏｎ  ＭｕｌｔｉｐｌｅＡｃｃｅｓｓ：符号分割多元接続）方式を用いることを特徴とする請求項１から請求項４のいずれか記載の移動通信システム。
【請求項６】
移動局端末に対して下りリンクの誤り訂正ありの個別物理データチャネルと、誤り訂正なし個別物理制御チャネルとを時間多重して伝送する無線基地局装置であって、
前記個別物理データチャネルの符号化利得を考慮して伝送電力を補正する手段と、その補正された伝送電力で前記下りリンクの個別物理チャネルを送信する手段とを有することを特徴とする無線基地局装置。
【請求項７】
前記伝送電力を補正する手段は、前記伝送電力を送信時間間隔毎に補正することを特徴とする請求項６記載の無線基地局装置。
【請求項８】
前記伝送電力を補正する手段は、前記個別物理データチャネルと前記個別物理制御チャネルとにおける誤り訂正処理によって得られる伝送電力の符号化利得を送信データ量の変動によって算出されるレートマッチングによるビット繰返し／ビット間引きを基に補正することを特徴とする請求項６または請求項７記載の無線基地局装置。
【請求項９】
前記レートマッチングは、所要ＱｏＳ（Ｑｕａｌｉｔｙ  ｏｆ  Ｓｅｒｖｉｃｅ）を音声通信とパケット通信とで同時に満たすためのレートマッチング処理であることを特徴とする請求項８記載の無線基地局装置。
【請求項１０】
ＣＤＭＡ（Ｃｏｄｅ  Ｄｉｖｉｓｉｏｎ  Ｍｕｌｔｉｐｌｅ  Ａｃｃｅｓｓ：符号分割多元接続）方式を用いることを特徴とする請求項６から請求項９のいずれか記載の無線基地局装置。
【請求項１１】
無線基地局装置から移動局端末に対して下りリンクの誤り訂正ありの個別物理データチャネルと、誤り訂正なし個別物理制御チャネルとを時間多重して伝送する移動通信システムの電力制御方法であって、前記無線基地局装置側に、前記個別物理データチャネルの符号化利得を考慮して伝送電力を補正するステップと、その補正された伝送電力で前記下りリンクの個別物理チャネルを送信するステップとを有することを特徴とする電力制御方法。
【請求項１２】
前記伝送電力を補正するステップは、前記伝送電力を送信時間間隔毎に補正することを特徴とする請求項１１記載の電力制御方法。
【請求項１３】
前記伝送電力を補正するステップは、前記個別物理データチャネルと前記個別物理制御チャネルとにおける誤り訂正処理によって得られる伝送電力の符号化利得を送信データ量の変動によって算出されるレートマッチングによるビット繰返し／ビット間引きを基に補正することを特徴とする請求項１１または請求項１２記載の電力制御方法。
【請求項１４】
前記レートマッチングは、所要ＱｏＳ（Ｑｕａｌｉｔｙ  ｏｆ  Ｓｅｒｖｉｃｅ）を音声通信とパケット通信とで同時に満たすためのレートマッチング処理であることを特徴とする請求項１３記載の電力制御方法。
【請求項１５】
ＣＤＭＡ（Ｃｏｄｅ  Ｄｉｖｉｓｉｏｎ  Ｍｕｌｔｉｐｌｅ  Ａｃｃｅｓｓ：符号分割多元接続）方式を用いることを特徴とする請求項１１から請求項１４のいずれか記載の電力制御方法。
【発明の詳細な説明】
【０００１】
【発明の属する技術分野】
本発明は移動通信システム、無線基地局装置及びそれらに用いる電力制御方法に関し、特にＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信システムにおける電力制御方法に関する。
【０００２】
【従来の技術】
ＣＤＭＡ方式の移動通信システムにおいては、移動局端末に対してデータを送信する下りの個別物理データチャネルと個別物理制御チャネルとを時間多重して送信している。
【０００３】
個別物理データチャネルは移動局端末に対してユーザデータを伝送するチャネルであり、個別物理制御チャネルは物理レイヤでの制御情報の伝送を行うチャネルである。制御情報は同期検波でのチャネル推定に用いる既知パターンのパイロットビット（ｐｉｌｏｔ  ｂｉｔ）、送信電力制御コマンド（ＴＰＣ：Ｔｒａｎｓｍｉｓｓｉｏｎ  Ｐｏｗｅｒ  Ｃｏｎｔｒｏｌ）、下りリンクの個別物理データチャネルの受信フレームに、いくつのトランスポートチャネルが多重されているか、または各トランスポートチャネルがどのトランスポートフォーマットを使用しているかを示す情報であるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）で構成されている。
【０００４】
ここで、下りリンクの個別物理データチャネルは、ターボ符号や畳み込み符号という高い誤り訂正能力をもつアルゴリズムによって符号化されているが、個別物理制御チャネルは符号化が行われていない。
【０００５】
そのため、無線基地局装置では、時間多重された個別物理データチャネルと個別物理制御チャネルとの送信電力値を、個別物理データチャネルの符号化利得を考慮して、符号化利得分だけ個別物理制御チャネルの送信電力を上げる必要がある。
【０００６】
特に、下りのアウタループ電力制御を行っている場合、符号化された個別物理データチャネルを対象として、所要品質を満たしているかを判断し、下りリンクのターゲットＳＩＲ（Ｓｉｇｎａｌ  ｔｏ  Ｉｎｔｅｒｆｅｒｅｎｃｅ  Ｒａｔｉｏ）値を下げ、ある所要品質を満たすレベルで収束させることとなる。
【０００７】
ここで、下りのアウタループ電力制御とは、無線伝搬環境が異なると、同じＳＩＲ値の信号でも、受信品質が異なる可能性があるが、その際に受信信号の品質（ＢＬＥＲ：Ｂｌｏｃｋ  Ｅｒｒｏｒ  Ｒａｔｅ）を測定し、ネットワーク及びサービスで規定されている品質を満たしているかどうかを判断することで、システム全体の要求を満たすターゲットＳＩＲ値を決定する制御である（例えば、非特許文献１参照）。
【０００８】
すなわち、下りのアウタループ電力制御を行っている場合には、無線基地局装置から送信する個別物理チャネルの送信電力を下げ、ユーザデータ部の所要品質を満たせるレベルで収束させることとなる。そのため、符号化を行っていない個別物理制御チャネルのパイロット、ＴＰＣ、ＴＦＣＩは個別物理データチャネルの符号化利得分だけ所要品質を満たすことができなくなる。
【０００９】
現在のＣＤＭＡ方式の移動通信システムでは、これを回避するために、個別物理データチャネルの符号化利得を個別物理制御チャネルの送信電力に補うために、固定値を持つことが可能である。このパラメータはトランスポートチャネル設定時にのみ設定可能であり、固定値としてしか持つことができず、通信中を通して可変とすることはできない。
【００１０】
【非特許文献１】
「Ｗ−ＣＤＭＡ移動通信方式  ２−２Ｗ−ＣＤＭＡ基本伝送技術」（立川  敬二  監修、丸善株式会社刊、平成１３年６月２５日発行、第５５頁）
【００１１】
【発明が解決しようとする課題】
しかしながら、従来のＣＤＭＡ方式の移動通信システムでは、個別物理データチャネルと個別物理制御チャネルとの差が符号化利得（ターボ符号もしくは畳み込み符号と符号化なし）の差だけではなく、レートマッチングによるビット繰返しもしくはビット間引きにも影響を与える。
【００１２】
ビット繰返しが高い場合には、その分だけ誤り訂正率が高くなり、移動局端末での受信品質が向上し、低い受信電力でも十分な品質を得ることが可能となる。
一方、ビット間引きが高い場合には、誤り訂正率が通常時と比べて劣化するため、移動局端末において受信品質が通常時よりも低下し、所要品質を満たすために、無線基地局装置に対して高い受信電力を要求することとなる。
【００１３】
そこで、本発明の目的は上記の問題点を解消し、移動局端末において下りリンク個別物理制御チャネルの受信品質を常に一定レベルに保つことができる移動通信システム、無線基地局装置及びそれに用いる電力制御方法を提供することにある。
【００１４】
また、本発明の他の目的は、システム全体としての移動局端末の収容能力低下を軽減することができる移動通信システム、無線基地局装置及びそれに用いる電力制御方法を提供することにある。
【００１５】
【課題を解決するための手段】
本発明による移動通信システムは、無線基地局装置から移動局端末に対して下りリンクの誤り訂正ありの個別物理データチャネルと、誤り訂正なし個別物理制御チャネルとを時間多重して伝送する移動通信システムであって、
前記個別物理データチャネルの符号化利得を考慮して伝送電力を補正する手段と、その補正された伝送電力で前記下りリンクの個別物理チャネルを送信する手段とを備えている。
【００１６】
本発明による無線基地局装置は、移動局端末に対して下りリンクの誤り訂正ありの個別物理データチャネルと、誤り訂正なし個別物理制御チャネルとを時間多重して伝送する無線基地局装置であって、
前記個別物理データチャネルの符号化利得を考慮して伝送電力を補正する手段と、その補正された伝送電力で前記下りリンクの個別物理チャネルを送信する手段とを備えている。
【００１７】
本発明による電力制御方法は、無線基地局装置から移動局端末に対して下りリンクの誤り訂正ありの個別物理データチャネルと、誤り訂正なし個別物理制御チャネルとを時間多重して伝送する移動通信システムの電力制御方法であって、前記無線基地局装置側に、前記個別物理データチャネルの符号化利得を考慮して伝送電力を補正するステップと、その補正された伝送電力で前記下りリンクの個別物理チャネルを送信するステップとを備えている。
【００１８】
すなわち、本発明の移動通信システムは、ＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信システムにおいて、時間多重されて伝送される下りリンクの個別物理データチャネル（誤り訂正あり）と、個別物理制御チャネル（誤り訂正なし）とにおける誤り訂正処理（符号化）によって得られる伝送電力の符号化利得（固定値）を送信データ量の変動によって算出されるレートマッチングによるビット繰返し／ビット間引き（変動値）を基に補正し、その補正された利得分の電力値を個別物理制御チャネルに付加し、無線基地局装置から下りリンク個別物理チャネルとして送信している。
【００１９】
これによって、本発明の移動通信システムでは、移動局端末にて受信するＳＩＲ（Ｓｉｇｎａｌ  ｔｏ  Ｉｎｔｅｒｆｅｒｅｎｃｅ）値を所要品質以上に上げることなく、個別物理データチャネルと個別物理制御チャネルとの送信電力のバランスをとり、個別物理制御チャネルが常にチャネル推定可能な一定レベルを保つことが可能となる。
【００２０】
より具体的に説明すると、ＣＤＭＡ方式の移動通信システムにおいては、無線基地局装置と移動局端末との通信に、個別物理データチャネルと個別物理制御チャネルとを時間多重した個別物理チャネルを用いている。その際、個別物理データチャネルに設定された初期送信電力値を用い、個別物理データチャネルの符号化利得を考慮し、個別物理データチャネルより高い電力値が設定される。
【００２１】
ここで、個別物理データチャネルに対して個別物理制御チャネルの送信電力を個別物理データチャネルの符号化利得分だけ高い値に設定するのは、移動局端末にて行われる下りリンクのアウタループ電力制御にて、誤り訂正処理の施された個別物理データチャネルが所要品質を満たすように下りリンク送信電力値を収束させた場合に、誤り訂正処理の施されていない個別物理制御チャネルが所要品質を保てなくなるためであり、移動局端末にとって、双方のチャネルがある一定の受信品質を保てるようにするためである。
【００２２】
しかしながら、個別物理データチャネルは送信時間間隔毎に送信するデータ量が異なるため、物理チャネル内にマッピングされるＱｏＳ（Ｑｕａｌｉｔｙ  ｏｆ  Ｓｅｒｖｉｃｅ）の異なるユーザデータ（例えば、音声通信とパケット通信とが混在するような状況で、遅延があまり許容できない音声通信と、メール等のある程度の遅延を許容できるパケット通信とでＱｏＳが異なることとなる）において、所要ＱｏＳを同時に満たすためのレートマッチング処理によるビット繰返し／ビット間引きが変動する（データ量の比率を変えることで、異なるＱｏＳを同時に満たすため）。
【００２３】
すなわち、送信時間間隔毎で、移動局端末での個別物理データチャネルのデータ量が変動することとなり、結果として、受信品質が変動することとなる。そのため、従来の方法のように、符号化利得を考慮した電力差を固定値としてしか設定できない場合、ビット繰返し／ビット間引きの変動によっては、移動局端末にて受信する品質を常にある一定レベルに保てないという可能性がある。
【００２４】
そこで、本発明の移動通信システムでは、送信時間間隔毎で、レートマッチングによるビット繰返し／ビット間引きを考慮し、個別物理制御チャネルへ付加する送信電力値を補正している。補正したオフセット値は個別物理データチャネルの符号化利得分の電力値に付加して、個別物理制御チャネルの送信電力値として時間多重された下りリンクの個別物理制御チャネルの送信が行われる。
【００２５】
本発明の移動通信システムでは、送信時間間隔毎にレートマッチングによるビット繰返し／ビット間引きを考慮し、個別物理データチャネルの符号化利得分の電力値を補正し、個別物理制御チャネルへ付加することで、移動局端末に対して、送信時間間隔毎で常に一定レベルの下り個別物理制御チャネルの受信品質を提供することが可能となる。
【００２６】
またこれによって、無線基地局装置が必要以上の送信電力で個別物理制御チャネルを送信することがなくなるため、無線基地局装置送信電力増大による、システム全体としての収容能力低下を軽減することが可能となる。尚、上りは移動局端末から無線基地局装置への方向、下りは無線基地局装置から移動局端末への方向のそれぞれ伝送を示す。
【００２７】
【発明の実施の形態】
次に、本発明の実施例について図面を参照して説明する。図１は本発明の一実施例による移動通信システムの構成を示すブロック図である。図１において、本発明の一実施例による移動通信システムはＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信システムであり、無線基地局装置１と移動局端末２とから構成されている。尚、無線基地局装置１内にはレートマッチング処理や各種測定を行うベースバンド部１１が設けられている。
【００２８】
通常のＣＤＭＡ方式の移動通信システムでは、無線基地局装置１が数ｋｍ毎に配置され、それぞれでエリアを構成し、１台の無線基地局装置１と複数台の移動局端末２との間で無線リンクが張られることとなる。図１では、無線基地局装置１と移動局端末２との間に無線リンクを張っているものとする。
【００２９】
下りリンク個別物理チャネル１００は個別物理データチャネル１０１と個別物理制御チャネル１０２とが時間多重されたものである。本実施例では、時間多重された個別物理データチャネル１０１と個別物理制御チャネル１０２との送信電力のバランスの最適化を図るものである。
【００３０】
一般に、個別物理データチャネル１０１はターボ符号もしくは畳み込み符号等の誤り訂正符号にて符号化されており、高い誤り訂正能力を持っている。一方、個別物理制御チャネル１０２は符号化されておらず、誤り訂正能力を持たない。
よって、下りリンクのアウタループ電力制御にて個別物理データチャネル１０１の所要品質を満たすように電力制御を行った場合、誤り訂正能力のない個別物理制御チャネル１０２では所要品質を保つことができなくなり、最悪の場合には呼切断が発生してしまう。
【００３１】
そのため、現在のＣＤＭＡ方式の移動通信システムでは、個別物理データチャネル１０１と個別物理制御チャネル１０２との送信電力差、つまり個別物理データチャネルの符号化利得分の電力値をオフセット値１０３として固定値で持たせることが可能である。
【００３２】
図２は図１の無線基地局装置１の構成例を示す図である。図２において、無線基地局装置１は符号化処理部１２と、レートマッチング処理部１３と、オフセット電力値補正部１４と、個別物理データチャネル生成部１５と、個別物理制御チャネル生成部１６と、時間多重部１７とから構成されている。
【００３３】
符号化処理部１２はユーザデータ２０１，２０２のデータの符号化処理を行い、レートマッチング処理部１３は符号化されたデータのレートマッチング処理を行う。オフセット電力値補正部１４はユーザデータ２０１，２０２の制御情報のオフセット電力値を補正する。
【００３４】
個別物理データチャネル生成部１５はレートマッチング処理が行われたデータから個別物理データチャネルを生成し、個別物理制御チャネル生成部１６はオフセット電力値が補正された制御情報から個別物理制御チャネルを生成する。時間多重部１７はそれら個別物理データチャネル及び個別物理制御チャネルの時間多重を行う。
【００３５】
図３は本発明の一実施例における下りリンクユーザデータの送信形態を示す図であり、図４は本発明の一実施例における下りリンクユーザデータのレートマッチングによるビット間引きを示す図であり、図５は本発明の一実施例における下りリンクユーザデータのレートマッチングによるビット繰返しを示す図であり、図６は本発明の一実施例による個別物理制御チャネルの送信電力の補正を示す図である。
【００３６】
図３において、下りリンクユーザデータ３０１〜３０３は、送信時間間隔３１１〜３１３毎に、下り個別物理データチャネルに載せられて送信される。そのため、下りリンクユーザデータ３０１〜３０３は送信時間間隔３１１〜３１３毎でデータ量が異なることとなる。
【００３７】
そのため、下りリンクユーザデータ３０１〜３０３は、送信時間間隔３１１〜３１３毎で、図４に示すように、レートマッチング４０２によるビット間引き４０４が生じたり、図５に示すように、レートマッチング５０２によるビット繰返し５０４が生ずることとなる。
【００３８】
本実施例では、図６に示すように、無線基地局装置１にて受信したユーザデータのデータ部のレートマッチングによるビット間引き４０４もしくはビット繰返し５０４を算出し、その結果を基に、個別物理データチャネル６０１の符号化利得分として設定された電力値（固定値）６０３の補正（図６のレートマッチングによるビット間引き／繰返しを考慮した電力値６０４）を行い、補正された電力値を個別物理制御チャネル６０２の送信電力に付加し、個別物理データチャネルと個別物理制御チャネルとを時間多重して無線区間へと送信している。これらの処理は図２に示す構成をとる無線基地局装置１で行われる。
【００３９】
個別物理データチャネルは、図３に示すように、送信時間間隔３１１〜３１３毎に送信するデータ量が異なるため、物理チャネル内にマッピングされるＱｏＳ（Ｑｕａｌｉｔｙ  ｏｆ  Ｓｅｒｖｉｃｅ）の異なるユーザデータ（例えば、音声通信とパケット通信とが混在するような状況で、遅延があまり許容できない音声通信と、メール等のある程度の遅延を許容できるパケット通信とでＱｏＳが異なることとなる）において、所要ＱｏＳを同時に満たすためのレートマッチング処理によるビット繰返し／ビット間引きが変動する（データ量の比率を変えることで、異なるＱｏＳを同時に満たすため）。
【００４０】
すなわち、個別物理データチャネルでは、送信時間間隔３１１〜３１３毎で、移動局端末２での個別物理データチャネルのデータ量が変動することとなり、結果として、受信品質が変動することとなる。よって、従来の方法のように、符号化利得を考慮した電力差を固定値としてしか設定できない場合には、ビット繰返し／ビット間引きの変動によって、移動局端末２にて受信する品質を常にある一定レベルに保てないという可能性がある。
【００４１】
そこで、本実施例では、図３に示すように、送信時間間隔３１１〜３１３毎で、レートマッチングによるビット繰返し５０４／ビット間引き４０４（図４及び図５参照）を考慮し、図６に示すように、個別物理制御チャネルへ付加する送信電力値（個別物理データチャネル６０１の符号化利得分）を補正している。
【００４２】
補正されたオフセット値（図６のレートマッチングによるビット間引き／繰返しを考慮した電力値６０４）は個別物理データチャネル６０１の符号化利得分の電力値６０３に付加され、個別物理制御チャネル６０２の送信電力値として時間多重された下りリンクの個別物理制御チャネルの送信が行われる。
【００４３】
本実施例では、送信時間間隔３１１〜３１３毎にレートマッチングによるビット繰返し５０４／ビット間引き４０４を考慮し、個別物理データチャネル６０１の符号化利得分の電力値６０３を補正し、個別物理制御チャネル６０２へ付加することで、移動局端末２に対して、送信時間間隔３１１〜３１３毎で常に一定レベルの下り個別物理制御チャネルの受信品質を提供することが可能となる。
【００４４】
またこれによって、無線基地局装置１が必要以上の送信電力で個別物理制御チャネルを送信することがなくなるため、無線基地局装置１の送信電力増大による、システム全体としての収容能力低下を軽減することができる。尚、上りは移動局端末２から無線基地局装置１への方向の伝送、下りは無線基地局装置１から移動局端末２への方向の伝送をそれぞれ示している。
【００４５】
図７は本発明の一実施例による移動通信システムの動作を示すシーケンスチャートである。これら図１〜図７を参照して本発明の一実施例による移動通信システムの動作について説明する。
【００４６】
まず、無線基地局装置１は上位装置（図示せず）からユーザデータ２０１，２０２を受信する（図７のステップＳ１）。無線基地局装置１ではＱｏＳ（Ｑｕａｌｉｔｙ  ｏｆ  Ｓｅｒｖｉｃｅ）の異なるユーザデータを一つの物理チャネルで伝送するために、送信時間間隔３１１〜３１３毎で物理チャネルにマッピングされる符号化系列（ユーザデータ）のビット数の変化量（ビット繰返し５０４／ビット間引き４０４）を計算する（レートマッチング処理）（図７のステップＳ２）。
【００４７】
無線基地局装置１では上記の処理で得られたレートマッチングによるビット繰返し５０４／ビット間引き４０４によって、移動局端末２での受信品質が異なるため、下り個別物理データチャネルの符号化利得分の送信電力値６０３として設定された固定値の補正を行う（図７のステップＳ３）。
【００４８】
無線基地局装置１は補正された送信電力値を個別物理制御チャネルの送信電力に付加し、個別物理データチャネルと個別物理制御チャネルとを時間多重して送信する（図７のステップＳ４，Ｓ５）。
【００４９】
このように、本実施例では、レートマッチング処理にて送信時間間隔３１１〜３１３毎に算出されるビット繰返し５０４／ビット間引き４０４によって移動局端末２での受信品質が変動するため、これらの算出値を基に、誤り訂正処理が施された個別物理データチャネルと誤り訂正処理の施されていない個別物理制御チャネルとの間の符号化利得分の送信電力差を送信時間間隔３１１〜３１３毎に補正している。これによって、本実施例では、移動局端末２において、下りリンク個別物理制御チャネルの受信品質を常に一定レベルに保つことができる。
【００５０】
また、本実施例では、無線基地局装置１が必要以上の電力値で送信することを軽減することによって、移動局端末２の受ける干渉値が軽減され、移動局端末２から無線基地局装置１に対してさらに電力を要求することを防ぎ、システム全体としての移動局端末２の収容能力低下を軽減することができる。
【００５１】
【発明の効果】
以上説明したように本発明の移動通信システムは、上記のような構成及び動作とすることで、移動局端末において下りリンク個別物理制御チャネルの受信品質を常に一定レベルに保つことができるという効果が得られる。
【００５２】
また、本発明の他の移動通信システムは、上記のような構成及び動作とすることで、システム全体としての移動局端末の収容能力低下を軽減することができるという効果が得られる。
【図面の簡単な説明】
【図１】本発明の一実施例による移動通信システムの構成を示すブロック図である。
【図２】図１の無線基地局装置の構成例を示す図である。
【図３】本発明の一実施例における下りリンクユーザデータの送信形態を示す図である。
【図４】本発明の一実施例における下りリンクユーザデータのレートマッチングによるビット間引きを示す図である。
【図５】本発明の一実施例における下りリンクユーザデータのレートマッチングによるビット繰返しを示す図である。
【図６】本発明の一実施例による個別物理制御チャネルの送信電力の補正を示す図である。
【図７】本発明の一実施例による移動通信システムの動作を示すシーケンスチャートである。
【符号の説明】
１  無線基地局装置
２  移動局端末
１１  ベースバンド部
１２  符号化処理部
１３  レートマッチング処理部
１４  オフセット電力値補正部
１５  個別物理データチャネル生成部
１６  個別物理制御チャネル生成部
１７  時間多重部
１０１  個別物理データチャネル
１０２  個別物理制御チャネル
１０３  符号化利得分の電力オフセット値
【図１】
2004297231.tif 000003
【図２】
2004297231.tif 000004
【図３】
2004297231.tif 000005
【図４】
2004297231.tif 000006
【図５】
2004297231.tif 000007
【図６】
2004297231.tif 000008
【図７】
2004297231.tif 000009